【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
液体の身体標本を分析するための装置であって、
標本を保持するようになった１つの標本運搬機器を受け取るための少なくとも１つの標本取扱いステーションと、
標本を分析するための光学画像取込み機器を備えた画像形成ステーションと、
標本運搬機器に係合し、かつ標本取扱いステーションと画像形成ステーションとアンローディング・ステーションとの間で変位させるための、標本運搬機器レセプタクルを備えたキャリッジと、
前記取込み機器により前記標本の２つ以上の位置の画像が選択的に得られるように、前記画像形成ステーションまたは前記画像取込み機器において少なくとも１つの標本運搬機器を一度変位させための、漸増変位機構とを含む装置。
【請求項２】
標本運搬機器が標本を保持するためのウェルを含む、請求項１に記載の装置。
【請求項３】
漸増変位が、Ｘ−Ｙ座標系、極座標系、または角座標系に関するものである、請求項１または２に記載の装置。
【請求項４】
剪断力を引き起こしまたは標本を撹拌して混合するための機械式取扱いステーションと、標本に標本着色剤を導入するための着色ステーションと、標本運搬機器をリンスするためのリンス・ステーションと、標本を乾燥するための乾燥ステーションの１つまたは複数を含み、これらのステーションおよび標本取扱いステーションが装置の同じゾーンまたは異なるゾーンにある、請求項１から３までのいずれか一項に記載の装置。
【請求項５】
少なくとも１つの標本取扱いステーションが、プレパラートである液体を保持する少なくとも１つの容器および前記標本運搬機器にプレパラートである液体を供給するための機構と、廃液および使用済みの標本運搬機器を回収するための廃棄物容器を含み、流体を推進させるための流体ポンピング構成を含む、請求項１から４までのいずれか一項に記載の装置。
【請求項６】
標本運搬機器が、コーン・プレート対のウェル様部材であり、混合ステーションではコーン部材がプレート部材内で回転可能である、請求項２に記載の装置。
【請求項７】
標本運搬機器が角度単位でキャリッジ部材内で変位可能である、請求項３に記載の装置。
【請求項８】
混合ステーションが、前記対のコーン部材を係合させることができ、かつプレート部材からコーン部材をそれぞれ導入しまた取り外すために軸方向に変位可能な回転モータを含む、請求項６に記載の装置。
【請求項９】
標本運搬機器から廃液を吸引し乾燥ステーションで乾燥するための空気圧／真空源を含む、請求項１から８までのいずれか一項に記載の装置。
【請求項１０】
光学画像取込み機器が、プレパラートの画像を取り込むための顕微鏡およびカメラを含み、顕微鏡の対物レンズが標本運搬機器からずれるように延びる、請求項１から９までのいずれか一項に記載の装置。
【請求項１１】
画像形成ステーションが、標本を照明するＬＥＤ型光源を備える、請求項８に記載の装置。
【請求項１２】
標本運搬機器がウェルを含み、乾燥ステーションが、ウェルに挿入可能な円筒形プラグであってプラグの前部が本質的に平らでありウェル内にぴたりと受容可能な直径を有するプラグと、前部に形成された少なくとも１つの空気吸入ポートおよび前部に空気流を流すことを可能にする適切な通気口とを含み、プラグがさらに、前部とウェルのベースとの間に固定された隙間を得るための軸方向制限構成を含む、請求項４に記載の装置。
【請求項１３】
周辺空気チャネルが前部の上方に延びて通気口と流体連絡する状態でプラグが形成される、請求項１２に記載の装置。
【請求項１４】
軸方向制限構成が、ウェルの周壁に形成された対応する座面部分に係合可能なプラグの肩を含む、請求項１２または１３に記載の装置。
【請求項１５】
標本運搬機器には、その回転運動を検出しモニタするために、対応する感知構成との連絡をとるための目盛りが設けられている、請求項７に記載の装置。
【請求項１６】
ウェルおよびコーン部材には、その回転運動を検出しモニタするために、対応するセンサとの連絡をとるための目盛りが設けられている、請求項６に記載の分析機器。
【請求項１７】
着色およびリンス・ステーションが、液体導入および引出しチューブ材と液面感知機構とを含む、請求項４に記載の装置。
【請求項１８】
液体導入チューブ材が、液体の流れをウェル内で本質的に接線方向に向けるよう形成される、請求項１７に記載の装置。
【請求項１９】
液面感知機構が３つのばね状電極を含み、その２つはウェルのベース近傍に延び、１つは最高液面にある、請求項１７に記載の装置。
【請求項２０】
様々なステーション間に流体の流れを選択的に向けるための制御弁をさらに含む、請求項５に記載の装置。
【請求項２１】
流体ポンピング構成が、空気圧／真空生成器と、液体を推進させるための１つまたは複数の蠕動ポンプとを含む、請求項５に記載の装置。
【請求項２２】
キャリッジに対するウェルの回転と混合ステーションのハウジングに対するコーン部材の回転を検出しモニタするための光学センサが設けられる、請求項６に記載の装置。
【請求項２３】
混合ステーションが、コーン部材から同軸上を延びる心棒に解放可能に係合するためのチャックを含む、請求項６に記載の装置。
【請求項２４】
ウェルの底部には、キャリッジに取り付けられた回転モータの対応する歯車式伝動装置に係合するための歯車式経路が形成される、請求項２または６に記載の装置。
【請求項２５】
ウェルが、ウェルの回転を検出しモニタする光学センサに結合するための１つまたは複数のリセス部が形成されたスカートをさらに含む、請求項２または６に記載の装置。
【請求項２６】
キャリッジが、ウェル・レセプタクル、およびウェルに回転運動をもたらすためのモータと、レセプタクル内のその作動位置でウェルに係合するための拘束部材とを備える、請求項１から２５までのいずれか一項に記載の装置。
【請求項２７】
キャリッジのレセプタクルの形状がＵ字形であり、アーム延長部がウェルに対する供給開口を構成し、作動位置ではウェルがレセプタクルの円形部分にぴたりと位置決めされ、キャリッジが、ウェルの対応する歯車式経路に係合する駆動歯車を含み、前記駆動歯車が、レセプタクルの縦軸からずれるように延びる、請求項１から２６までのいずれか一項に記載の装置。
【請求項２８】
液体の身体標本を分析するための方法であって、
１．標本運搬機器上にプレパラートを得るための少なくとも１つの標本取扱いステーションと、光学画像取込み機器を備えた画像形成ステーションと、標本運搬機器レセプタクルを備えかつローディング・ステーションとアンローディング・ステーションの間で前記ステーションのそれぞれの位置に対して変位可能であるキャリッジと、プログラマブル・コントローラとを含む液体の身体標本分析器を得る段階と、
２．標本運搬機器をキャリッジに係合する段階と、
３．体液の標本を得てそれを標本運搬機器上に導入する段階と、
４．キャリッジを、ローディング・ステーションから少なくとも１つの標本取扱いステーションに変位させて、プレパラートが得られるようにする段階と、
５．キャリッジを画像形成ステーションまで前進させて標本運搬機器および画像形成機器の１つを変位させることにより、プレパラートの連続画像を得る段階と、
６．キャリッジをアンローディング・ステーションまで変位させて、標本運搬機器の処分を行う段階とを含む方法。